(57)【要約】【課題】人の熟練に依らず機械や器具で的確なマッサージ効果を得る。【解決手段】ブラシ（５）に設けた、体毛と同電荷に帯電した豚毛（８）を駆動装置（１）で縦方向に円運動させることで体毛（７）を動かし、毛根神経を刺激することで局所の血流を改善してマッサージ効果を得ることができるとともにノルエピネフェリンの分泌を亢進し、更にヒータ（２）で皮膚（６）温度を３７℃付近まで昇温することでホルモンセンシティブリパーゼノの活性を高めて局所皮下脂肪の分解を促進することができる。【選択図】　　　　図１
2004073577.tif 000002
【特許請求の範囲】
【請求項１】
体毛を介して毛根に刺激を与える手段を設けたことを特徴とする体毛刺激マッサージ具。
【請求項２】
少なくとも器具または装置の一部が表皮に対し非接触とし、体毛を介して毛根に刺激を与える手段が、体毛に加速度を加える接触手段であることを特徴とする請求項１に記載の体毛刺激マッサージ具。
【請求項３】
体毛を介して毛根に刺激を与える手段が、体毛に静電気を帯電させる静電気帯電手段であり、電気力線またはクーロン力の変化により体毛を動かすことを特徴とする請求項１に記載の体毛刺激マッサージ具。
【請求項４】
表皮に直接流体が接触する面積を減少させる流体制御手段を有し、体毛を介して毛根に刺激を与える手段が、体毛に気流または液流を接触させる手段を設けたことを特徴とする請求項１に記載の体毛刺激マッサージ具。
【請求項５】
衣類の一部を体表の任意の位置に固定する固定手段と、体表面または体表から体毛長以下の領域を該繊維が移動可能とする手段を設けたことを特徴とする請求項１、２、または３に記載の体毛刺激マッサージ具。
【請求項６】
肌に着用する衣類において、衣類の布地の編目の間隙面積が繊維の面積よりも大きいメッシュ状に構成したことを特徴とする請求項５に記載の体毛刺激マッサージ具。
【請求項７】
肌に着用する衣類において、衣類の布地を構成する縦糸間の間隙と横糸間の間隙が異なるように構成したことを特徴とする請求項５に記載の体毛刺激マッサージ具。
【請求項８】
肌に着用する衣類において、衣類の布地を構成する縦糸太さと横糸太さが異なるように構成したことを特徴とする請求項５に記載の体毛刺激マッサージ具。
【請求項９】
装置または器具に赤外線照射手段を設けたことを特徴とする請求項１、２、３、４、５、６、７または８に記載の体毛刺激マッサージ具。
【発明の詳細な説明】
【０００１】
【発明が属する技術分野】
マッサージ器具、美容器具、痩身器具、育毛器具、衣類等の美容健康具に係わる。
【０００２】
【従来の技術】
従来、マッサージは、筋肉や表皮を刺激して局所の血流を改善して爽快感を得ていた。また、ジェットバスでは直接体表に水流をぶつけてマッサージ効果を得ていた。更に、痩せる肌着として編目を工夫し、凹凸を強調して肌を摩擦することで痩せるサポーター様の伸縮性肌着が販売されている。また、育毛については薬剤や、ブラシでの打撃による毛根刺激法が普及している。
【０００３】
【発明が解決しようとする課題】
従来のマッサージでは筋肉に過度の刺激を与えると返って筋肉痛の原因となるため、適度な強度で的確なツボを刺激しなければならず、かなりの熟練が要求された。ジェットバスではツボに正確に水流を当てることや強度を調整することが困難であった。また、オイル等を塗って皮膚をマッサージする方法や編目の凹凸で肌を刺激する痩せる肌着では、肌への単調な摩擦刺激に対しては恒常性により脳が抑制的な神経回路を興奮させて抹消の神経興奮が時間とともに抑制されて十分なマッサージ効果が得られなかった。また、薬剤刺激やブラシでの打撃刺激による毛根刺激法ついては、効く人もあれば、効かない人もあり効果にばらつきが大きい。これは、発明者の過去の生体への超音波による脂肪分解実験において、照射強度が小さすぎると効かないが、大きすぎると個体間の血中ＦＦＡ値に大きなばらつきが生じることや最適強度域では強度によらず効果はほぼ一定であったことを発見したことから、一般的にも生体への物理刺激には最適強度域が存在すると思われる。そこで、刺激強度が適当で、しかも持続的なマッサージ効果を得られる器具や装置が求められている。
【０００４】
【課題を解決するための手段】
本発明は、体毛刺激により毛根神経を刺激して血流の改善及び局所の皮下脂肪の分解を促進することを主要な特徴とする。毛根神経の興奮と体内分泌物質の関係や詳細な機序は現在不明であるが、少なくとも過去の研究結果から毛根神経の興奮は局所の血流の改善を促すことや、抹消の血中脂肪分解生成物の有意な上昇は実験で確かめられている。一方、脂肪分解の機構と思われる血中ノルエピネフェリン濃度の上昇は血管収縮をもたらす。このことは抹消血流の改善と一見矛盾しているように思われる。これは、穏やかな物理的刺激においては血中ノルエピネフェリン濃度の上昇とともに他の血管拡張因子となる生理活性物質分泌または活性の亢進を伴うのではないかと考えられる。
【０００５】
発明の第一である、体毛を介して毛根に刺激を与える手段を設けたことを特徴とする体毛刺激マッサージ具では、前述の理由から毛根神経の興奮により抹消の血流を改善及び脂肪分解の促進によりマッサージ効果と痩身効果を得ることが可能となる。毛根刺激を用いることでこれらの効果を得ることができるため、適度な強度でツボを的確に刺激しなければならない通常のマッサージと比較して熟練を必要としない。
【０００６】
更に第二では、少なくとも器具または装置の一部が表皮に対し非接触とし、体毛を介して毛根に刺激を与える手段が、体毛に加速度を加える接触手段とすることで、表皮に存在する多くの感覚受容点からの刺激を削減することで、中枢における毛根神経からの刺激信号のＳ／Ｎ比を大きくして効果の向上を実現できる。また、体毛に振動等の加速度的な外力を加えることで、神経における信号強度を常に変化させることで感覚を持続させることが可能となる。
【０００７】
第三には、体毛を介して毛根に刺激を与える手段が、体毛に静電気を帯電させる静電気帯電手段であり、電気力線またはクーロン力の変化により体毛を動かすことで、第二と同様の効果をうることができる。例えば電気的に絶縁された生体に負の静電荷を帯びた絶縁体を近づけると体毛が引き付けられ起立状態となる。次に該負電荷を体毛から遠ざけると体毛は元の状態に戻る。これを繰り返すことで体毛を動かすことが可能となる。
【０００８】
第四では、表皮に直接流体が接触する面積を減少させる流体制御手段を有し、体毛を介して毛根に刺激を与える手段が、体毛に気流または液流を接触させる手段を設けることで肌への直接的な物理刺激を最小にして体毛に重点的に流体を接触させ渦流で体毛に複雑な動きを与えることが可能となり前述と同様の効果を得ることができる。
【０００９】
第五では、衣類の一部を体表の任意の位置に固定する固定手段と、体表面または体表から体毛長以下の領域を該繊維が移動可能とする手段を設けた痩身マッサージ用衣類であり、運動時に固定されていない繊維が体表付近をずれるように移動する。移動可能な部分の布地が体毛を動かすこととなり前述と同様の効果を得ることができる。さらに、帯電列の離れた素材と組合すことで繊維に帯電させ運動による繊維の動きで体毛に加速度を加えることが可能となる。
【００１０】
第六では、衣類の布地の編目の間隙面積が繊維の面積よりも大きいメッシュ状に構成することで、編目の間隙が大きいため体毛が繊維間の間隙に挟まれて強制的に体毛を動かすこととなり前述と同様の効果を得ることができる。
【００１１】
また第七では、衣類の布地を構成する縦糸間の間隙と横糸間の間隙が異なる様に構成することで間隙の大きい方の糸が体毛を巻き込み第六と同様の効果を得ることが可能となる。
【００１２】
更に第八では、衣類の布地を構成する縦糸太さと横糸太さが異なる様に構成することで糸の太さが太い方の糸の肌への接触面積が大きくなり体毛を巻き込み第七と同様の効果を得ることが可能となる。
【００１３】
更に第九では、装置または器具に赤外線照射手段を設け、皮下脂肪を３７℃付近まで暖めることで脂肪細胞内のホルモンセンシティブリパーゼの活性を高めて脂肪分解を促進する。この手段を前述一から八の手段と組み合わせることで相乗効果を得ることができる。。
【００１４】
【発明の実施の形態】
本形態での説明に使用する図面を説明する。図１は本実施形態１を説明するマッサージ具の断面図、図２は本実施形態２を説明するマッサージ具の側面図、図３は本実施形態３を説明するマッサージ具の説明図、図４は本実施例を説明するマッサージ具の平面図、図５は本実施例を説明するマッサージ具の断面図である。１はモータ及びカム、２はヒータ、３は筐体、４は足、５はブラシ、６は体表、７は体毛、８は豚毛、９はアーム、１０は絶縁体筐体及び静電気印加装置とモータ、１１は帯電体、１２は体毛、１３は頭皮、１４は赤外線ランプ、１５は人体、１６は水流方向、１７はホース支持具及び噴射口、１８は関節、１９はアーム、２０はスライド溝、２１はホース、２２は支持具、２３はポンプ、２４は吸水口、２５はバスタブ、２６及び２９は固定部、２７は横糸、２８は縦糸、３０及び３４は固定部、３１は体毛、３２は横糸移動方向、３３は表地、３５は体表、３６は横糸である。
【００１５】
実施の形態１は、振動ブラシによる体毛マッサージ具である。図１の本体ゴム足（４）を体表（６）に当て、１のモータとカムで筐体（３）内を上下方向に円運動する様にブラシ（５）を振動させる。ブラシ先端には豚毛（８）が植毛されており豚毛の先端から体表までは約３〜７ｍｍ離れるようなゴム足（４）長となっている。湿度が高い場合にはアクリル繊維でできた布を豚毛（８）先端に接触させて運転することで豚毛が帯電する。ブラシに設けた豚毛が人体体毛（７）をわずかに擦るか、あるいは体毛（７）から少し離れた領域を豚毛（８）が振動する。この時人体体毛（７）及び豚毛（８）は共に正の電荷を持ち、互いに反発しあう。体毛（７）は豚毛（８）の接触やクーロン力によって動かされ、毛根神経を刺激することで血流を改善したり局所の皮下脂肪の分解を促進する。さらに、ヒータ（２）で体表が３７℃付近になるように暖めることで脂肪分解を相乗的に促進する。
【００１６】
実施の形態２は、静電気印加装置による頭髪マッサージ具である。図２の上下可動式のアーム（９）には赤外線ランプ（１４）と電気的に絶縁された筐体中に、毛皮をアクリル樹脂に摩擦させるモータ（１０）が設けられている。人は絶縁された床に置いた椅子に掛ける。装置の帯電体（１１）を毛髪（１２）から数ｃｍ離してセットし、運転する。毛皮でアクリル樹脂を摩擦することで大きな静電気が発生し、金属の帯電体に印加される。帯電体をアクリル樹脂に接触させると帯電体の毛髪側には負の電荷が蓄積され毛髪（１２）が逆立つ、次に帯電体を毛皮に接触させると正の電荷が蓄積されて毛髪が倒される。これを数秒周期で繰り返すことで毛髪を動かせて毛根神経を刺激して頭皮（１３）付近の血流を改善することで育毛効果を得ることができる。また、赤外線ランプ（１４）を点灯して頭皮（１３）を３７℃付近まで温めることで血流改善効果を相乗的に増加させることが可能となる。
【００１７】
実施の形態３は、ジェットバスによる体毛マッサージ具である。図３のバスタブ（２５）には、吸水口（２４）が設けられ、ポンプ（２３）で湯を２１のホースに供給し、１７の噴射口から噴射される。人（１５）の体型に合わせて支持具（２２）に設けたスライド溝（２０）に沿って１９のアームを移動させ高さを調整する。更に１８の関節を曲げて水流（１６）が体表上を流れるように角度を調整する。水流は足元から腹部、胸部を経て脇を通って臀部、脚裏を経て吸水口へと循環する。水流が体表を撫でながら循環することで体毛を動かして毛根神経を刺激してマッサージ効果や脂肪分解効果を得ることができる。また、湯温を３７℃付近まで温めることで脂肪分解効果及び血流改善効果を相乗的に増加させることが可能となる。気流を用いる場合は、ポンプの代わりに送風機を用いるが原理はほぼ同様である。
【００１８】
【実施例】
図４、図５は痩身用腹巻である。図４は図５の表地（３３）を剥がした平面図である。２６、３０及び２９、３４はゴム入りの布地で構成され胸部下と下腹部を緊迫するように固定している。２８の縦糸は横糸（２７）間隔に比較して大きく間隔をあけて織られており、横糸（２７、３６）、縦糸（２８）ともに純毛で伸縮性が比較的小さい繊維で構成され、運動に伴って固定部間（２６、３０と２９、３４間）を皮膚（３５）表面付近に沿ってずれたり捻れたり伸縮するように移動する。この時、横糸（２７、３６）は縦糸（２８）間隔が広いため皮膚や体毛に接する面積が大きくなり、横糸（３６）の間隙に体毛（３１）が巻き込まれて挟み込まれる。特に３２の方向に横糸が移動する場合には巻き込み効果が最も顕著となる。体毛が挟まれて動かされることで局所の皮下脂肪分解効果を得ることができる。また、表地（３３）にアクリル繊維を用いることで毛糸（２７、２８、３６）との摩擦で繊維が帯電して体毛を動かす効果が大きくなる。また、繊維にセラミック粉を混ぜ込むなどで体表からの赤外線でセラミックから遠赤外線を輻射することで冬季でも皮膚温度を高く保つことで脂肪分解効果をより高めることが可能となる。表地（３３）と裏地（３６）の素材を逆にしても同様の効果を得ることができる。
【００１９】
【発明の効果】
体毛を動かして毛根神経を刺激することで局所の血流改善及び皮下脂肪の分解を促進することが可能となる。皮膚感覚点からの刺激を減らすことで毛根神経からの刺激を強調することが可能となるとともに、体毛を複雑に動かすことで恒常性による感覚の抑制を最小にして持続的な効果を発揮することが可能となる。
【図面の簡単な説明】
【図１】本実施形態１を説明するマッサージ具の断面図
【図２】本実施形態２を説明するマッサージ具の側面図
【図３】本実施形態３を説明するマッサージ具の説明図
【図４】本実施例を説明するマッサージ具の平面図
【図５】本実施例を説明するマッサージ具の断面図
【符号の説明】
１　　モータ及びカム
２　　ヒータ
３　　筐体
４　　足
５　　ブラシ
６、３５　　体表
７、１２、３１　　体毛
８　　豚毛
９、１９　　アーム
１０　　絶縁体筐体及び静電気印加装置とモータ
１１　　帯電体
１３　　頭皮
１４　　赤外線ランプ
１５　　人体
１６　　水流方向
１７　　ホース支持具及び噴射口
１８　　関節
２０　　スライド溝
２１　　ホース
２２　　支持具
２３　　ポンプ
２４　　吸水口
２５　　バスタブ
２６、２９、３０、３４　　固定部
２７、３６　　横糸
２８　　縦糸
３２　　横糸移動方向
３３　　表地
【図１】
2004073577.tif 000003
【図２】
2004073577.tif 000004
【図３】
2004073577.tif 000005
【図４】
2004073577.tif 000006
【図５】
2004073577.tif 000007